(57)【特許請求の範囲】
【請求項１】
２つの受信系統及び受信状況表示機能を備えた無線通信装置であって、
二次元表示装置の表示画面上の一部に第１受信系統で受信する運用周波数帯における所定の周波数範囲の無線信号の強度をスペクトラムスコープ表示し、前記表示画面上の他の部分に第２受信系統で受信する前記運用周波数帯とは異なる周波数帯における所定の周波数範囲の無線信号の強度をスペクトラムスコープ表示し、
一定の又は任意の時間の間隔で、前記第２受信系統で受信する無線信号の周波数帯を他の周波数帯に変更し、変更した周波数帯における所定の周波数範囲の無線信号の強度を前記表示画面上の前記他の部分にスペクトラムスコープ表示することを特徴とする無線通信装置。
【請求項２】
前記第１受信系統として使用される第１受信部と、
前記第２受信系統として使用される第２受信部と、
前記第１受信部及び前記第２受信部で受信する周波数を変更する受信周波数変更部と、
前記第１受信部及び前記第２受信部でそれぞれ受信される無線信号の強度を測定する信号強度測定部と、
前記無線信号の強度の値を用いて、前記二次元表示装置に表示されるスペクトラムスコープ画像の作成する表示画像作成部と、
少なくとも前記受信周波数変更部及び前記表示画像作成部を制御するための制御部と、
経過時間をカウントする計時部と、
を備え、
前記制御部は、前記第１受信系統で受信する前記運用周波数帯における所定周波数範囲内及び前記第２受信系統で受信する前記運用周波数帯とは異なる周波数帯における所定の周波数範囲内で、さらに所定の周波数ピッチずつ受信周波数の変更を指示し、
前記計時部が前記一定の又は任意の時間をカウントしたときに、前記制御部は、前記受信周波数変更部に対して、前記第２受信部で受信する周波数帯の変更を指示する
ことを特徴とする請求項１に記載の無線通信装置。
【請求項３】
前記第２受信部で受信する周波数帯として、あらかじめ設定されている又はユーザーによって任意に設定された複数の周波数帯をサイクリックに又はランダムに選択することを特徴とする請求項１又は請求項２に記載の無線通信装置。
【請求項４】
ユーザーによって操作される操作部をさらに備え、ユーザーによって前記操作部に所定の操作が行われたときに、前記第２受信部で受信する周波数帯の変更を停止することを特徴とする請求項１乃至請求項３のいずれか一項に記載の無線通信装置。
【請求項５】
前記制御部は、前記無線信号の強度と所定の閾値とを比較し、前記所定の閾値を超えている無線信号の強度値が存在するときに、前記第２受信部で受信する周波数帯の変更を停止することを特徴とする請求項１乃至請求項３のいずれか一項に記載の無線通信装置。
【請求項６】
２つの受信系統を備えた無線通信装置における受信状況表示方法であって、
二次元表示装置の表示画面上の一部に第１受信系統で受信する運用周波数帯における所定の周波数範囲の無線信号の強度をスペクトラムスコープ表示し、前記表示画面上の他の部分に第２受信系統で受信する前記運用周波数帯とは異なる周波数帯における所定の周波数範囲の無線信号の強度をスペクトラムスコープ表示し、
一定の又は任意の時間の間隔で、前記第２受信系統で受信する無線信号の周波数帯を他の周波数帯に変更し、変更した周波数帯における所定の周波数範囲の無線信号の強度を前記表示画面上の前記他の部分にスペクトラムスコープ表示することを特徴とする無線通信装置における受信状況表示方法。
【発明の詳細な説明】
【技術分野】
【０００１】
本発明は、受信状況表示機能を備え、それぞれ異なる複数の周波数帯の無線信号を同時に受信可能な無線通信装置に関し、特に、ある周波数帯で他局と交信を行いつつ他の周波数帯での受信状況を把握する２波同時受信モードにおける受信周波数帯の変更及びそれに伴う二次元画像表示装置の受信状況表示に関する。
【背景技術】
【０００２】
アマチュア無線においては、例えば１つの送信部と２つの受信部を備えた無線通信装置を用いて、送信部と一方の受信部をメインバンドとして使用し、メインバンドで他局との交信を行いながら、他方の受信部をサブバンドとして使用し、メインバンドの周波数帯とは異なる周波数帯で無線信号をスキャンして、他の交信相手を探索するなどの目的で受信状況を把握するといった２波同時受信が行われている。以下の説明において、サブバンドで受信する周波数帯を「スキャン周波数帯」とする。
【０００３】
特許文献１に記載された従来の無線通信装置では、２つ以上の受信部を有し、液晶表示装置の表示画面上に各受信部の受信内容を表示すると共に、音声帯域表示、使用中の周波数の信号強度、他の周波数が空きチャンネルかビジーであるかの選択が可能である。しかしながら、受信周波数帯の選択や、液晶表示装置の表示画面の切り替えに関しては、操作パネル上に設けられた選択スイッチにより行われ、自動的に切り替えられるようには構成されていない。また、２波同時受信の場合、メインバンドで他局と交信を行いつつ、サブバンドでのスキャン周波数帯を手動操作で変更することは、ユーザーにとって煩わしく、選択スイッチの操作間違いも起こりやすいという問題点を有している。また、特許文献１の装置のように３つ以上の受信部を有している場合は、１つの受信部をメインバンドとし、他の２つ以上の受信部でそれぞれ異なる周波数帯の無線信号をスキャンしてスペクトラムスコープ表示することも可能であるが、多数の受信部を設ける必要があるために無線通信装置の製造コストが増大するという問題点を有している。
【先行技術文献】
【特許文献】
【０００４】
【特許文献１】特開平６−２５２７８９号公報
【発明の概要】
【発明が解決しようとする課題】
【０００５】
本発明は、上記従来例の問題を解決するためになされたものであり、２つの受信系統及び受信状況表示機能を備えた無線通信装置において、製造コストを増大させることなく、例えば一方の受信系統（メインバンド）で他局と交信を行いつつ、他方の受信系統（サブバンド）でメインバンドの運用周波数帯とは受信周波数帯の異なる周波数帯の受信状況の把握を容易にすることを目的とする。
【課題を解決するための手段】
【０００６】
上記目的を達成するために、本発明の一態様に係る２つの受信系統及び受信状況表示機能を備えた無線通信装置は、
二次元表示装置の表示画面上の一部に第１受信系統で受信する運用周波数帯における所定の周波数範囲の無線信号の強度をスペクトラムスコープ表示し、前記表示画面上の他の部分に第２受信系統で受信する前記運用周波数帯とは異なる周波数帯における所定の周波数範囲の無線信号の強度をスペクトラムスコープ表示し、
一定の又は任意の時間の間隔で、前記第２受信系統で受信する無線信号の周波数帯を他の周波数帯に変更し、変更した周波数帯における所定の周波数範囲の無線信号の強度を前記表示画面上の前記他の部分にスペクトラムスコープ表示することを特徴とする。
【０００７】
上記無線通信装置は、
前記第１受信系統として使用される第１受信部と、
前記第２受信系統として使用される第２受信部と、
前記第１受信部及び前記第２受信部で受信する周波数を変更する受信周波数変更部と、
前記第１受信部及び前記第２受信部でそれぞれ受信される無線信号の強度を測定する信号強度測定部と、
前記無線信号の強度の値を用いて、前記二次元表示装置に表示されるスペクトラムスコープ画像の作成する表示画像作成部と、
少なくとも前記受信周波数変更部及び前記表示画像作成部を制御するための制御部と、
経過時間をカウントする計時部と、
を備え、
前記制御部は、前記第１受信系統で受信する前記運用周波数帯における所定周波数範囲内及び前記第２受信系統で受信する前記運用周波数帯とは異なる周波数帯における所定の周波数範囲内で、さらに所定の周波数ピッチずつ受信周波数の変更を指示し、
前記計時部が前記一定の又は任意の時間をカウントしたときに、前記制御部は、前記受信周波数変更部に対して、前記第２受信部で受信する周波数帯の変更を指示するように構成してもよい。
【０００８】
前記第２受信部で受信する周波数帯として、あらかじめ設定されている又はユーザーによって任意に設定された複数の周波数帯をサイクリックに又はランダムに選択するように構成してもよい。
【０００９】
上記無線通信装置は、ユーザーによって操作される操作部をさらに備え、ユーザーによって前記操作部に所定の操作が行われたときに、前記第２受信部で受信する周波数帯の変更を停止するように構成してもよい。
【００１０】
または、前記制御部は、前記無線信号の強度と所定の閾値とを比較し、前記所定の閾値を超えている無線信号の強度値が存在するときに、前記第２受信部で受信する周波数帯の変更を停止するように構成してもよい。
【００１１】
また、本発明に係る無線通信装置における受信状況表示方法は、
二次元表示装置の表示画面上の一部に第１受信系統で受信する運用周波数帯における所定の周波数範囲の無線信号の強度をスペクトラムスコープ表示し、前記表示画面上の他の部分に第２受信系統で受信する前記運用周波数帯とは異なる周波数帯における所定の周波数範囲の無線信号の強度をスペクトラムスコープ表示し、
一定の又は任意の時間の間隔で、前記第２受信系統で受信する無線信号の周波数帯を他の周波数帯に変更し、変更した周波数帯における所定の周波数範囲の無線信号の強度を前記表示画面上の前記他の部分にスペクトラムスコープ表示することを特徴とする。

【発明の効果】
【００１２】
上記構成によれば、２つの受信系統及び受信状況表示機能を備え、２波同時受信可能な無線通信装置において、例えば、第１受信系統（メインバンド）では、他局との間で交信している運用周波数を中心とした第１周波数範囲の無線信号の強度が二次元表示装置の一部（例えば、左半分）にスペクトラムスコープ表示され、第２受信系統（サブバンド）では、第１受信系統の受信周波数帯とは異なる周波数帯における第２周波数範囲の無線信号の強度がスペクトラムスコープ表示され、さらに、第２受信系統の受信周波数帯が一定の又は任意の時間の間隔で自動的に変更される。そのため、ユーザーは、スイッチ操作などに煩わされることなく、第２受信系統の受信周波数帯での受信状況を把握することができ、第２受信系統を用いて交信相手の探索などを容易に行うことができる。また、無線通信装置の製造コストは、従来の２波同時受信可能な無線通信装置とほとんど同じである。あるいは、従来の２波同時受信可能な無線通信装置のファームウエアを変更することによって実現することも可能である。
【図面の簡単な説明】
【００１３】
【図１】本発明の一実施形態に係る２つの受信系統及び受信状況表示機能を備えた無線通信装置の構成を示すブロック図。
【図２】上記無線通信装置の２波同時受信モードにおける操作パネルの外観及び二次元表示装置の受信状況表示画面を示す図。
【図３】上記無線通信装置の通常運用モードにおける二次元表示装置の受信状況表示画面を示す参考図。
【図４】上記無線通信装置の２波同時受信モードにおける動作を示すフローチャート。
【図５】上記無線通信装置の２波同時受信モードにおける変形例の動作を示すフローチャート。
【発明を実施するための形態】
【００１４】
本発明の一実施形態に係る２つの受信系統及び受信状況表示機能を備えた無線通信装置及び２つの受信系統を備えた無線通信装置における受信状況表示方法について説明する。図１は、本実施形態に係る無線通信装置１のブロック構成を示し、図２及び図３は、無線通信装置１の操作パネルの外観を示す。この無線通信装置１は、メインバンド（第１受信系統）で無線信号の送受信を行いながら１つのサブバンド（第２受信系統）でメインバンドの運用周波数帯とは異なる受信周波数帯の無線信号を同時にスキャンする２波同時受信が可能である。図１に示すように、無線通信装置１は、１つの送信部１０と、異なる２つの周波数で同時に受信するために２つの受信部１１Ａ及び１１Ｂと、各受信部１１Ａ及び１１Ｂに接続されたスペクトラムスコープ表示用の受信部（以下、「スコープ用受信部」と略称する）１１と、ＶＦＯ(Variable Frequency Oscillator)１２Ａ〜１２Ｃを備えている。無線通信装置１では、送信部１０と、２つの受信部１１Ａ及び１１Ｂとを適宜組み替えて一方をメインバンド、他方をサブバンドとして運用することが可能である。
【００１５】
各ＶＦＯ１２Ａ〜１２Ｃには、それぞれ受信周波数変更部６Ａ〜６Ｃが接続され、受信周波数変更部６Ａ〜６Ｃは、それぞれ制御部３に接続されており、受信周波数変更部６Ａ〜６Ｃは、制御部３からの指示に基づいて、ＶＦＯ１２Ａ〜１２Ｃを制御し、スコープ用受信部１１及び各受信部１１Ａ及び１１Ｂでの受信周波数又は受信周波数帯（スキャン周波数帯）を変更する。また、スコープ用受信部１１は、信号強度測定部７に接続され、受信部１１Ａ又は１１Ｂで受信する電波による無線信号の強度が測定される。信号強度測定部７は、制御部３に接続されており、信号強度測定部７で測定された無線信号の強度は、スペクトラムスコープ表示に使用される。受信部１１Ａ及び１１Ｂは、それぞれ、例えばスーパーへテロダイン受信装置であり、アンテナを介して受信した無線信号（受信信号）に所定の第１周波数の第１局発信号（周波数可変）を混合して第１中間周波数の信号を発生させ、さらに第１ＩＦ信号に所定の第２周波数の第２局発信号（周波数固定）を混合して第２中間周波数の第２ＩＦ信号を発生させ、第２ＩＦ信号を復調して可聴音信号（ＡＦ信号）を出力する。スコープ用受信部１１には、受信部１１Ａ又は１１Ｂのいずれか一方から所定の周波数帯の上記第１ＩＦ信号が入力される。受信部１１Ａ又は１１Ｂの何れからの第１ＩＦ信号をスコープ用受信部１１に入力するかは、スコープ用受信部１１のスイッチング回路（図示せず）により択一的に選択される。スコープ用受信部１１においても、同様に、入力された第１ＩＦ信号に所定周波数の局発信号（周波数可変及び周波数固定）が混合され、所望する周波数の信号が出力される。信号強度測定部７は、スコープ用受信部１１から出力される所望する周波数の信号の強度を測定する。スコープ用受信部１１における局発信号の周波数を一定間隔で一定周波数ピッチずつ変化させることによって、受信部１１Ａ又は１１Ｂで受信する無線信号の受信周波数帯をスキャンすることができる。
【００１６】
アマチュア無線の分野で使用される無線通信装置は、運用周波数を複数の周波数帯で自由に設定することができる。そのため、各周波数帯における受信状況を表すために、その周波数帯における各周波数の無線信号の強度を示す、いわゆるスペクトラムスコープ表示や、無線信号の強度を時系列に沿って表す、いわゆるウォーターフォール表示を行うことができる。スペクトラムスコープ表示などの受信状況表示画像は一定の面積を必要とするため、無線通信装置１は、液晶表示装置などの二次元表示装置２を備えている。二次元表示装置２には、表示画像作成部８が接続されており、表示画像作成部８は、制御部３からの指示に基づいて、二次元表示装置２の表示画面上に表示される画像データを作成する。制御部３には、さらに計時部（タイマー）９が接続されている。計時部９の機能は後述する。
【００１７】
無線通信装置１は、１つの送信部１０と２つの受信部１１Ａ及び１１Ｂを備えているので、送信部１０と１つ受信部１１Ａ又は１１Ｂだけを用いて送信と受信を同じ運用周波数で行う通常運用モードと、送信部１０と一方の受信部１１Ａ又は１１Ｂを用いて、ユーザーが選択した運用周波数帯（メインバンド）で他局と交信を行いつつ、同時に他方の受信部１１Ｂ又は１１Ａを用いて、メインバンドとは異なる周波数帯（サブバンド）で無線信号の受信を行う２波同時受信モードが可能である。本発明は、この２波同時受信モードに関するものであるため、通常運用モードについての詳細な説明は省略する。
【００１８】
図２及び図３に示すように、操作部５は、無線通信装置１の操作パネル上で、二次元表示装置２の周囲、例えば左辺及び下辺に沿って配置された、複数の物理的な操作ボタン２８や、運用周波数又はスキャン周波数帯を選択したり、受信状況表示画像をシフトさせたりするためのシフトボタン２９Ａ及び２９Ｂなどで構成されている。二次元表示装置２の表示画面の上部２１には、例えば送信周波数と受信周波数の信号強度の値などを表示するための２つのインジケーター２５Ａ及び２５Ｂが表示され、その下には、周波数の数値２６Ａ及び２６Ｂが表示されている。二次元表示装置２の表示画面の下部２２には、スペクトラムスコープやウォーターフォールなどが表示される。図３に示すように、通常運用モードでは、メインバンドでの運用周波数は１つ、すなわち送信周波数と受信周波数は同じであるため、２つのインジケーター２５Ａ及び２５Ｂと周波数の数値２６Ａ及び２６Ｂは、同じものが表示されている。また、二次元表示装置２の表示画面の下部２２に、その全体を利用して、メインバンドでの運用周波数帯のスペクトラムスコープ画像が表示されている。
【００１９】
一方、図２に示すように、２波同時受信モードでは、サブバンドにおいてメインバンドの運用周波数帯とは異なる周波数帯の無線信号の強度をスキャンすることが可能であるため、二次元表示装置２の表示画面の下部２２が左右方向に２分割され、例えば左側の領域には、例えばメインバンドとして使用される（第１）受信部１１Ａの運用周波数帯を中心とした第１周波数範囲の無線信号の強度のスペクトラムスコープ画像２３（いわゆるセンターモード表示）が表示され、右側の領域には、サブバンドとして使用される（第２）受信部１１Ｂのスキャン周波数帯の第２周波数範囲（例えば全域）の無線信号の強度のスペクトラムスコープ画像２４（いわゆる固定モード表示）が表示される。また、２つのインジケーター２５Ａ及び２５Ｂ及び周波数の数値２６Ａ及び２６Ｂとして、左側にメインバンドの運用周波数表示され、右側にサブバンドでのスキャン周波数帯が表示される。なお、メインバンドのスペクトラムスコープ画像２３は、その表示面積が半減されるため、横軸（周波数）のスケールを圧縮してもよいし、あるいは、横軸のスケールをそのままにして、第１周波数範囲を半減してもよい。この実施形態では、２つの受信部１１Ａ及び１１Ｂが設けられているので、２波同時受信モードでは、いずれか一方をメインバンドとして使用し、他方をサブバンドとして使用する。また、メインバンドとサブバンドを入れ替えることも可能である。
【００２０】
２波同時受信モードは、上記のように、メインバンドで他局と交信を行い、サブバンドでメインバンドの運用周波数帯とは異なる周波数帯の受信状況を把握する運用モードであるが、本実施形態では、一定の又は任意の時間の間隔で、自動的にサブバンドでのスキャン周波数帯を変更し、その一定の又は任意の時間の間隔内で、そのスキャン周波数帯の第２周波数範囲（一般的には全域）をスキャンして、無線信号の強度をスペクトラムスコープ表示する。また、メインバンドでの運用周波数を中心とした第１周波数範囲の無線信号の強度もスペクトラムスコープ表示されるが、こちらは、メインバンドの運用周波数が変更されない限り、一定間隔で第１周波数範囲がスキャンされ、スペクトラムスコープ表示が更新される。
【００２１】
２波同時受信モードでは、サブバンドでのスキャン周波数帯として複数の周波数帯が選択又は設定可能であり、アマチュア無線用に割り当てられた周波数帯のいずれでも選択可能である。複数のスキャン周波数帯は、無線通信装置１の出荷時に記憶部４に初期設定されており、その後、ユーザーが操作部５を操作して任意の周波数帯に変更することができる。また、サブバンドでのスキャン周波数帯を変更する時間の間隔も無線通信装置１の出荷時に記憶部４に初期設定されており、その後、ユーザーが操作部５を操作して任意の時間の間隔に変更することができる。また、スキャン周波数帯を変更する時間の間隔は、スキャン周波数帯の広狭にかかわらず一定の間隔であってもよいし、スキャン周波数帯の広狭に応じて任意の間隔としてもよい。
【００２２】
次に、２波同時受信モードにおける各部の動作について、図４に示すフローチャートを参照しつつ説明する。メインバンドでの運用周波数帯として、例えば、１４ＭＨｚ帯が選択され、１４．１ＭＨｚの周波数で他局と交信を行っているものとする。また、サブバンドでの受信周波数帯として、例えば１．９ＭＨｚ帯、３．５ＭＨｚ帯、・・・５０ＭＨｚ帯が選択されているものとする。
【００２３】
２波同時受信モード中に、ユーザーが操作部５の操作ボタン２８を操作して、表示画面の自動切り替えの動作を指示すると、制御部３は、記憶部４に記憶されているサブバンドでの複数のスキャン周波数帯の値、例えば１．９ＭＨｚ帯、３．５ＭＨｚ帯、５０ＭＨｚ帯及びそれらの帯域の上限値と下限値、上記一定の又は任意の時間などを読み出す（＃１）。そして、制御部３は、サブバンドとして使用される受信部１１Ｂに接続されている受信周波数変更部６Ｂに対して、例えばスキャン周波数帯を１．９ＭＨｚに設定し（＃２）、計時部９に対して、一定の又は任意の時間（経過時間）のカウントの開始を指示する（＃３）。次に、制御部３は、受信周波数変更部６Ｃに対して、スキャン用受信部１１でスキャンする無線信号の周波数（以下、「スキャン周波数」とする）の初期値を１．９ＭＨｚ帯の下限値（例えば１９０７．５ｋＨｚ）又は上限値（例えば１９１２．５ｋＨｚ）に設定するように指示する（＃４）。受信部１１Ｂのスキャン周波数帯が設定され、所定時間が経過すると、制御部３は、スキャン用受信部１１及び信号強度測定部７を介して、受信部１１Ｂで受信している無線信号の強度を測定する（＃５）。また、制御部３は、表示画像作成部８に対して、測定した無線信号の強度の値を用いて、二次元表示装置２の表示画面に表示されるスペクトラムスコープ画像データを作成させ、さらに、二次元表示装置２に対してそのスペクトラムスコープ画像データを出力させる（＃６）。それによって、二次元表示装置２の表示画面の下部２２にスペクトラムスコープ画像２４を表示させる（＃７）。そして、制御部３は、受信周波数変更部６Ｃに対して、スキャン用受信部１１のスキャン周波数を現在の周波数から所定の周波数ピッチだけ増加又は減少させるように、スキャン周波数の変更を指示する（＃８）。さらに、制御部３は、ユーザーによって操作部５の所定の操作ボタン２８が操作されたか否か、すなわち、終了割り込みがあったか否かを判断する（＃９）。例えば、二次元表示装置２のスペクトラムスコープ表示をモニタして、サブバンドでの受信周波数帯に、ノイズではない高い強度の無線信号が見つかったとして、ユーザーがサブバンドの受信周波数をその無線信号の周波数に合わせようとした場合などに（ステップ＃９でＹＥＳ）、このフローを終了して、サブバンドのスキャン周波数帯の変更を停止し、スキャン周波数帯を固定する。
【００２４】
一方、ステップ＃９で終了割り込みがない場合、制御部３は、計時部９が上記一定の又は任意の時間をカウントし終わったか否かを判断し（＃１０）、カウントが終了していないときは（＃１０でＮＯ）、さらに、ステップ＃８で指示したスキャン周波数がスキャン周波数帯の上限値以上又は下限値以下になったか否かを判断する（＃１２）。スキャン周波数がスキャン周波数帯の上限値以上又は下限値以下になっていないときは、ステップ＃５に戻って、ステップ＃８で変更した新たなスキャン周波数の無線信号の強度測定などを実行する（＃５〜＃８）。スキャン周波数がスキャン周波数帯の上限値以上又は下限値以下になると（＃１２でＹＥＳ）、サブバンドでのスキャン周波数帯の１回のスキャンが完了したので、制御部３は、再度、受信周波数変更部６Ｃに対して、スキャン用受信部１１でスキャンするスキャン周波数を１．９ＭＨｚ帯の下限値（例えば１９０７．５ｋＨｚ）又は上限値（例えば１９１２．５ｋＨｚ）に設定するように指示し（＃４）、計時部９が上記一定の又は任意の時間をカウントし終わるまで、上記ステップ（＃４〜＃１２）を繰り返し実行してスペクトラムスコープ画像を更新しつつ、終了割り込みがなされるのを待つ（＃１０）。また、上記一定の又は任意の時間をカウントし終わるまでの間に終了割り込みがなかった場合、すなわち、ステップ＃１０でカウントが終了した場合（＃１０でＹＥＳ）、制御部３は、サブバンドでのスキャン周波数帯を他の周波数帯、例えば３．５ＭＨｚ帯に変更して（＃１１）、計時部９のカウントをリセットしてから一定の又は任意の時間のカウントを開始し（＃３）、ステップ＃１０のカウントが終了するまで、新たなスキャン周波数帯（３．５ＭＨｚ帯）のスペクトラムスコープ表示を行う。
【００２５】
次に、２波同時受信モードにおける各部の動作の変形例について、図５に示すフローチャートを参照しつつ説明する。図４に示すフローとの違いは、ステップ＃９のユーザーによる終了割り込みがあったか否かを判断する代わりに、無線信号の強度値と所定の閾値とを比較し、無線信号の強度が所定の閾値を超えているか否かを判断している（＃１５）。上記のように、サブバンドでのスキャン周波数帯に、ノイズではない高い強度を示す無線信号が存在する場合に、無線通信装置１側で自動的にサブバンドでのスキャン周波数帯の変更を停止することによって、ユーザーに対して、その周波数帯に交信をしている又は交信を求めている局が存在することを知らせることができる。
【００２６】
このように、本実施形態に係る無線通信装置１によれば、メインバンドで他局と受信を行い、サブバンドで交信相手を探索する２波同時受信モードが選択された場合に、一定の又は任意の時間の間隔で、サブバンドとして使用される受信部でのスキャン周波数帯が自動的に変更され、さらに、二次元表示装置２の表示画面上の下部２２の一部にメインバンドでの運用周波数を中心とした第１周波数範囲の無線信号の強度がスペクトラムスコープ表示され、表示画面上の他の部分にサブバンドでのスキャン周波数帯における第２周波数範囲の無線信号の強度がスペクトラムスコープ表示されるので、ユーザーは、メインバンドで他局との交信を行いつつ、特別な操作を行うことなく、サブバンドでメインバンドの運用周波数帯とは異なる複数のスキャン周波数帯での運用状況を把握することができ、サブバンドでの交信相手の探索を容易に行うことができる。
【００２７】
なお、この無線通信装置１の２波同時受信モードにおいて、サブバンドにおいて選択できるスキャン周波数帯の数、スキャン周波数帯の値、スキャン周波数帯を変更する一定の又は任意の時間の間隔などは、ユーザーが任意に設定することができることはいうまでもない。また、スキャン周波数帯を変更する一定の又は任意の時間の間隔は、選択されたスキャン周波数帯をスキャンして、その周波数帯の各周波数における無線信号の強度を測定するために要する時間よりも長いことはいうまでもない。さらに、サブバンドでのスキャン周波数帯として、あらかじめ設定されている又はユーザーによって任意に設定された複数の周波数帯をサイクリックに又はランダムに選択するように構成してもよい。さらに、スキャン周波数帯をスキャンする速度も、スキャン周波数帯を変更する一定の又は任意の時間の間隔に応じて、又は任意に変更できるように構成してもよい。さらに、メインバンドの運用周波数帯を中心としてスペクトラムスコープ表示される第１周波数範囲は、ユーザーが任意に設定することも可能であり、同様に、サブバンドのスキャン周波数帯がスペクトラムスコープ表示される第２周波数範囲も、ユーザーが任意に設定できるように構成してもよい。
【００２８】
また、本実施形態のように、２つの受信部１１Ａ及び１１Ｂを備え、それら２つの一方（例えば、受信部１１Ａ）をメインバンドとして使用し、他方（例えば、受信部１１Ｂ）をサブバンドとして使用している状態において、ユーザーがサブバンド側の受信部１１Ｂの受信周波数を調整したときに、自動的にメインバンドとサブバンドを入れ替え、それまでサブバンドとして使用されていた受信部１１Ｂを新たなメインバンドとして使用し、メインバンドとして使用されていた受信部１１Ａを新たなサブバンドとして使用するように構成してもよい。また、例えばサブバンドとして使用されている受信部（例えば、受信部１１Ｂ）に関する所定の操作ボタンを一定時間押し続けるなどの操作を行うことにより、送信部１０の送信周波数をサブバンドでの受信周波数と同じ周波数に変更するように構成してもよい。さらに、操作部５としては、無線通信装置１の操作パネル上に配置された物理的な操作ボタン２８に限定されず、二次元表示装置２及び操作部５を兼ねたタッチパネル液晶表示装置を用いてもよい。その場合、例えば図２に示す二次元表示装置２の画面上で、サブバンドのスキャン周波数帯のスペクトラムスコープ画像２４を指で一定時間以上押し続けるように構成してもよい。あるいは、操作部５として、ＵＳＢコネクタなどを介して接続されたマウスなどを用い、二次元表示装置２の表示画面上でカーソルを移動させるように構成してもよい。
【符号の説明】
【００２９】
１  無線通信装置
２  二次元表示装置
３  制御部
４  記憶部
５  操作部
６Ａ，６Ｂ，６Ｃ  受信周波数変更部
７  信号強度測定部
８  表示画像作成部
９  計時部
１０  送信部
１１  スコープ用受信部
１１Ａ，１１Ｂ  受信部
１２Ａ，１２Ｂ，１２Ｃ  ＶＦＯ
２３  メインバンドの運用周波数を中心としたスペクトラムスコープ画像
２４  サブバンドのスキャン周波数帯のスペクトラムスコープ画像
【図１】
0006493794.tif 000002
【図２】
0006493794.tif 000003
【図３】
0006493794.tif 000004
【図４】
0006493794.tif 000005
【図５】
0006493794.tif 000006